(57)【要約】【課題】物体表面に吸着し且つそれに沿って移動可能な装置において、簡略、軽量かつ低コストの装置を提供する。【解決手段】吸着ユニットと、水平方向往復動ユニットと、垂直方向往復動ユニットと、複動脚部材、により少なくとも構成された装置において；装置を物体表面に沿って走行させる第１の手順として、複動脚部材が物体表面へ強く押し付けられ；第２の手順として、複動脚部材が物体表面へ強く押し付けられたままの状態にて吸着ユニットが装置の走行方向へ移動し；第３の手順として、複動脚部材が物体表面から離反され；第４の手順として、複動脚部材が物体表面から離反したままの状態にて複動脚部材が装置の走行方向へ移動して該第１の手順の直前の状態に戻り；以下、該第１の手順から該第４の手順までの動作を繰り返す。【選択図】図１
2015145060.tif 000002
【特許請求の範囲】
【請求項１】
負圧の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材；により少なくとも構成された物体表面に吸着し且つそれに沿って走行可能な装置において；物体表面へ吸着した装置を物体表面に沿って走行させる第１の手順として、複動脚部材が垂直方向往復動ユニットの作用により物体表面へ強く押し付けられ；第２の手順として、複動脚部材が物体表面へ強く押し付けられたままの状態にて水平方向往復動ユニットが駆動されることにより、物体表面へ吸着した吸着ユニットが装置の走行方向へ移動し；第３の手順として、複動脚部材が垂直方向往復動ユニットの作用により物体表面から離反され；第４の手順として、複動脚部材が物体表面から離反したままの状態にて水平方向往復動ユニットが駆動されることにより、複動脚部材が装置の走行方向へ移動して該第１の手順の直前の状態に戻り；以下、該第１の手順から該第４の手順までの動作を繰り返すことにより、物体表面へ吸着した装置が物体表面に沿って間欠走行する；ことを特徴とする、物体表面に吸着し且つそれに沿って走行可能な装置。
【請求項２】
負圧の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンを行い、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする、物体表面に吸着し且つそれに沿って走行可能な装置。
【請求項３】
吸着ユニットと２式の水平方向往復動ユニットとの連結手段について、該２式の水平方向往復動ユニットが該連結手段を中心として物体表面に沿って回転できるように、該連結手段は、物体表面と直交する回転軸を有する回転式連結手段から構成されている、ことを特徴とする、請求項１乃至請求項２に記載の物体表面に吸着し且つそれに沿って走行可能な装置。
【請求項４】
磁力の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材；により少なくとも構成された物体表面に吸着し且つそれに沿って走行可能な装置において；物体表面へ吸着した装置を物体表面に沿って走行させる第１の手順として、複動脚部材が垂直方向往復動ユニットの作用により物体表面へ強く押し付けられ；第２の手順として、複動脚部材が物体表面へ強く押し付けられたままの状態にて水平方向往復動ユニットが駆動されることにより、物体表面へ吸着した吸着ユニットが装置の走行方向へ移動し；第３の手順として、複動脚部材が垂直方向往復動ユニットの作用により物体表面から離反され；第４の手順として、複動脚部材が物体表面から離反したままの状態にて水平方向往復動ユニットが駆動されることにより、複動脚部材が装置の走行方向へ移動して該第１の手順の直前の状態に戻り；以下、該第１の手順から該第４の手順までの動作を繰り返すことにより、物体表面へ吸着した装置が物体表面に沿って間欠走行する；ことを特徴とする、物体表面に吸着し且つそれに沿って走行可能な装置。
【請求項５】
磁力の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンを行い、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする、物体表面に吸着し且つそれに沿って走行可能な装置。
【請求項６】
吸着ユニットと２式の水平方向往復動ユニットとの連結手段について、該２式の水平方向往復動ユニットが該連結手段を中心として物体表面に沿って回転できるように、該連結手段は、物体表面と直交する回転軸を有する回転式連結手段から構成されている、ことを特徴とする、請求項４乃至請求項５に記載の物体表面に吸着し且つそれに沿って走行可能な装置。
【請求項７】
物体表面へ吸着した吸着ユニットが装置の走行方向へ移動する時、該吸着ユニットと物体表面との間の隙間へ圧力の高い流体が注入される、ことを特徴とする、請求項４乃至請求項６に記載の物体表面に吸着し且つそれに沿って走行可能な装置。
【請求項８】
負圧の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材；により少なくとも構成された物体表面に吸着し且つそれに沿って走行可能な装置において；物体表面へ吸着した装置を物体表面に沿って走行させる第１の手順として、複動脚部材が垂直方向往復動ユニットの作用により物体表面へ強く押し付けられ；第２の手順として、複動脚部材が物体表面へ強く押し付けられたままの状態にて水平方向往復動ユニットが駆動されることにより、物体表面へ吸着した吸着ユニットが装置の走行方向へ移動し；第３の手順として、複動脚部材が垂直方向往復動ユニットの作用により物体表面から離反され；第４の手順として、複動脚部材が物体表面から離反したままの状態にて水平方向往復動ユニットが駆動されることにより、複動脚部材が装置の走行方向へ移動して該第１の手順の直前の状態に戻り；以下、該第１の手順から該第４の手順までの動作を繰り返すことにより、物体表面へ吸着した装置が物体表面に沿って間欠走行する；ことを特徴とする、物体表面に吸着し且つそれに沿って走行可能な装置。
【請求項９】
負圧の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンが開始または続行され、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ、同時に、作用装置または検査装置の往路または復路のスキャンが続行されて完了し；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反され、同時に、作用装置または検査装置の往路または復路のスキャンが開始されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする、物体表面に吸着し且つそれに沿って走行可能な装置。
【請求項１０】
吸着ユニットと２式の水平方向往復動ユニットとの連結手段について、該２式の水平方向往復動ユニットが該連結手段を中心として物体表面に沿って回転できるように、該連結手段は、物体表面と直交する回転軸を有する回転式連結手段から構成されている、ことを特徴とする、請求項８乃至請求項９に記載の物体表面に吸着し且つそれに沿って走行可能な装置。
【請求項１１】
磁力の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材；により少なくとも構成された物体表面に吸着し且つそれに沿って走行可能な装置において；物体表面へ吸着した装置を物体表面に沿って走行させる第１の手順として、複動脚部材が垂直方向往復動ユニットの作用により物体表面へ強く押し付けられ；第２の手順として、複動脚部材が物体表面へ強く押し付けられたままの状態にて水平方向往復動ユニットが駆動されることにより、物体表面へ吸着した吸着ユニットが装置の走行方向へ移動し；第３の手順として、複動脚部材が垂直方向往復動ユニットの作用により物体表面から離反され；第４の手順として、複動脚部材が物体表面から離反したままの状態にて水平方向往復動ユニットが駆動されることにより、複動脚部材が装置の走行方向へ移動して該第１の手順の直前の状態に戻り；以下、該第１の手順から該第４の手順までの動作を繰り返すことにより、物体表面へ吸着した装置が物体表面に沿って間欠走行する；ことを特徴とする、物体表面に吸着し且つそれに沿って走行可能な装置。
【請求項１２】
磁力の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンが開始または続行され、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ、同時に、作用装置または検査装置の往路または復路のスキャンが続行されて完了し；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反され、同時に、作用装置または検査装置の往路または復路のスキャンが開始されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする、物体表面に吸着し且つそれに沿って走行可能な装置。
【請求項１３】
吸着ユニットと２式の水平方向往復動ユニットとの連結手段について、該２式の水平方向往復動ユニットが該連結手段を中心として物体表面に沿って回転できるように、該連結手段は、物体表面と直交する回転軸を有する回転式連結手段から構成されている、ことを特徴とする、請求項１１乃至請求項１２に記載の物体表面に吸着し且つそれに沿って走行可能な装置。
【請求項１４】
物体表面へ吸着した吸着ユニットが装置の走行方向へ移動する時、該吸着ユニットと物体表面との間の隙間へ圧力の高い流体が注入される、ことを特徴とする、請求項１１乃至請求項１３に記載の物体表面に吸着し且つそれに沿って走行可能な装置。
【請求項１５】
負圧の作用により物体表面へ吸着する吸着ユニットと；該吸着ユニットが物体表面に沿って移動する２つの移動方向において、すなわち互いに直交する移動方向軸であるＸ軸とＹ軸において、該吸着ユニットに配置された、Ｘ軸の方向に往復運動することが可能な、Ｘ軸水平方向往復動ユニットと；該Ｘ軸水平方向往復動ユニットの２つの端部の各々に配置された、Ｙ軸の方向に往復運動することが可能な、Ｙ軸水平方向往復動ユニットと；該Ｙ軸水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材；により少なくとも構成された物体表面に吸着し且つそれに沿って走行可能な装置において；
物体表面へ吸着した装置を物体表面に沿ってＹ軸方向へ走行させる第１の手順として、複動脚部材が垂直方向往復動ユニットの作用により物体表面へ強く押し付けられ；第２の手順として、複動脚部材が物体表面へ強く押し付けられたままの状態にてＹ軸水平方向往復動ユニットが駆動されることにより、物体表面へ吸着した吸着ユニットが装置のＹ軸走行方向へ移動し；第３の手順として、複動脚部材が垂直方向往復動ユニットの作用により物体表面から離反され；第４の手順として、複動脚部材が物体表面から離反したままの状態にてＹ軸水平方向往復動ユニットが駆動されることにより、複動脚部材が装置のＹ軸走行方向へ移動して該第１の手順の直前の状態に戻り；以下、該第１の手順から該第４の手順までの動作を繰り返すことにより、物体表面へ吸着した装置が物体表面に沿ってＹ軸方向へ間欠走行し；
物体表面へ吸着した装置を物体表面に沿ってＸ軸方向へ走行させる第１の手順として、複動脚部材が垂直方向往復動ユニットの作用により物体表面へ強く押し付けられ；第２の手順として、複動脚部材が物体表面へ強く押し付けられたままの状態にてＸ軸水平方向往復動ユニットが駆動されることにより、物体表面へ吸着した吸着ユニットが装置のＸ軸走行方向へ移動し；第３の手順として、複動脚部材が垂直方向往復動ユニットの作用により物体表面から離反され；第４の手順として、複動脚部材が物体表面から離反したままの状態にてＸ軸水平方向往復動ユニットが駆動されることにより、複動脚部材が装置のＸ軸走行方向へ移動して該第１の手順の直前の状態に戻り；以下、該第１の手順から該第４の手順までの動作を繰り返すことにより、物体表面へ吸着した装置が物体表面に沿ってＸ軸方向へ間欠走行する；ことを特徴とする、物体表面に吸着し且つそれに沿って走行可能な装置。
【請求項１６】
負圧の作用により物体表面へ吸着する吸着ユニットと；該吸着ユニットが物体表面に沿って移動する２つの移動方向において、すなわち互いに直交する移動方向軸であるＸ軸とＹ軸において、該吸着ユニットに配置された、Ｘ軸の方向に往復運動することが可能な、Ｘ軸水平方向往復動ユニットと；該Ｘ軸水平方向往復動ユニットの２つの端部の各々に配置された、Ｙ軸の方向に往復運動することが可能な、Ｙ軸水平方向往復動ユニットと；該Ｙ軸水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿ってＸ軸方向に往復運動させる第２Ｘ軸水平方向往復動ユニット；により少なくとも構成された物体表面に吸着し且つそれに沿って走行可能な装置において；
作用装置または検査装置を物体表面に沿ってスキャンさせ、且つ、物体表面へ吸着した装置を物体表面に沿ってＹ軸方向へ走行させる手順において、第１の手順として、第２Ｘ軸水平方向往復動ユニットの作用により作用装置または検査装置の往路または復路のスキャンを行い、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする、物体表面に吸着し且つそれに沿って走行可能な装置。
【請求項１７】
吸着ユニットと２式のＹ軸水平方向往復動ユニットとの相対的な位置関係、すなわち、吸着ユニットと２式のＹ軸水平方向往復動ユニットとが成す角度について、該２式のＹ軸水平方向往復動ユニットが連結手段を中心として物体表面に沿って回転できるように、該連結手段は、物体表面と直交する回転軸を有する回転式連結手段から構成されている、ことを特徴とする、請求項１５乃至請求項１６に記載の物体表面に吸着し且つそれに沿って走行可能な装置。
【請求項１８】
磁力の作用により物体表面へ吸着する吸着ユニットと；該吸着ユニットが物体表面に沿って移動する２つの移動方向において、すなわち互いに直交する移動方向軸であるＸ軸とＹ軸において、該吸着ユニットに配置された、Ｘ軸の方向に往復運動することが可能な、Ｘ軸水平方向往復動ユニットと；該Ｘ軸水平方向往復動ユニットの２つの端部の各々に配置された、Ｙ軸の方向に往復運動することが可能な、Ｙ軸水平方向往復動ユニットと；該Ｙ軸水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材；により少なくとも構成された物体表面に吸着し且つそれに沿って走行可能な装置において；
物体表面へ吸着した装置を物体表面に沿ってＹ軸方向へ走行させる第１の手順として、複動脚部材が垂直方向往復動ユニットの作用により物体表面へ強く押し付けられ；第２の手順として、複動脚部材が物体表面へ強く押し付けられたままの状態にてＹ軸水平方向往復動ユニットが駆動されることにより、物体表面へ吸着した吸着ユニットが装置のＹ軸走行方向へ移動し；第３の手順として、複動脚部材が垂直方向往復動ユニットの作用により物体表面から離反され；第４の手順として、複動脚部材が物体表面から離反したままの状態にてＹ軸水平方向往復動ユニットが駆動されることにより、複動脚部材が装置のＹ軸走行方向へ移動して該第１の手順の直前の状態に戻り；以下、該第１の手順から該第４の手順までの動作を繰り返すことにより、物体表面へ吸着した装置が物体表面に沿ってＹ軸方向へ間欠走行し；
物体表面へ吸着した装置を物体表面に沿ってＸ軸方向へ走行させる第１の手順として、複動脚部材が垂直方向往復動ユニットの作用により物体表面へ強く押し付けられ；第２の手順として、複動脚部材が物体表面へ強く押し付けられたままの状態にてＸ軸水平方向往復動ユニットが駆動されることにより、物体表面へ吸着した吸着ユニットが装置のＸ軸走行方向へ移動し；第３の手順として、複動脚部材が垂直方向往復動ユニットの作用により物体表面から離反され；第４の手順として、複動脚部材が物体表面から離反したままの状態にてＸ軸水平方向往復動ユニットが駆動されることにより、複動脚部材が装置のＸ軸走行方向へ移動して該第１の手順の直前の状態に戻り；以下、該第１の手順から該第４の手順までの動作を繰り返すことにより、物体表面へ吸着した装置が物体表面に沿ってＸ軸方向へ間欠走行する；ことを特徴とする、物体表面に吸着し且つそれに沿って走行可能な装置。
【請求項１９】
磁力の作用により物体表面へ吸着する吸着ユニットと；該吸着ユニットが物体表面に沿って移動する２つの移動方向において、すなわち互いに直交する移動方向軸であるＸ軸とＹ軸において、該吸着ユニットに配置された、Ｘ軸の方向に往復運動することが可能な、Ｘ軸水平方向往復動ユニットと；該Ｘ軸水平方向往復動ユニットの２つの端部の各々に配置された、Ｙ軸の方向に往復運動することが可能な、Ｙ軸水平方向往復動ユニットと；該Ｙ軸水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿ってＸ軸方向に往復運動させる第２Ｘ軸水平方向往復動ユニット；により少なくとも構成された物体表面に吸着し且つそれに沿って走行可能な装置において；
作用装置または検査装置を物体表面に沿ってスキャンさせ、且つ、物体表面へ吸着した装置を物体表面に沿ってＹ軸方向へ走行させる手順において、第１の手順として、第２Ｘ軸水平方向往復動ユニットの作用により作用装置または検査装置の往路または復路のスキャンを行い、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする、物体表面に吸着し且つそれに沿って走行可能な装置。
【請求項２０】
吸着ユニットと２式のＹ軸水平方向往復動ユニットとの相対的な位置関係、すなわち、吸着ユニットと２式のＹ軸水平方向往復動ユニットとが成す角度について、該２式のＹ軸水平方向往復動ユニットが該連結手段を中心として物体表面に沿って回転できるように、該連結手段は、物体表面と直交する回転軸を有する回転式連結手段から構成されている、ことを特徴とする、請求項１８乃至請求項１９に記載の物体表面に吸着し且つそれに沿って走行可能な装置。
【請求項２１】
物体表面へ吸着した吸着ユニットが装置の走行方向へ移動する時、該吸着ユニットと物体表面との間の隙間へ圧力の高い流体が注入される、ことを特徴とする、請求項１８乃至請求項２０に記載の物体表面に吸着し且つそれに沿って走行可能な装置。
【発明の詳細な説明】
【技術分野】
【０００１】
本発明は、物体表面へ吸着可能な真空吸盤または磁石などの吸着ユニットを用いて、例えば船体、各種タンク、橋梁、配管などの鋼構造物、あるいは各種タンク、ビルディング、水槽、橋梁、配管などのコンクリート構造物などの物体表面に吸着し且つ該物体表面に沿って移動することができる、あるいは、物体表面に吸着し且つ該物体表面に沿って移動しながら、表面処理材料を噴射するなど物体表面へ作用を施し、あるいは、物体表面の検査など物体表面から情報を得る作業を行うことができる、「物体表面に吸着し且つそれに沿って移動可能な装置」に関する。
【背景技術】
【０００２】
この種の公知技術としては、本発明の発明者が提案している、日本特許第２６８９１２７号公報に記載の「壁面に吸着し且つそれに沿って移動可能な装置」や
日本特許第２８０５６１４号公報に記載の「壁面に吸着し且つそれに沿って移動可能な装置」が知られている。
かかる装置は、
装置本体と、該装置本体に装着された移動手段としての車輪と、該装置本体に連結されその自由端部が物体表面に接触せしめられる負圧吸着シールであって且つ該物体表面に垂直な回転軸を軸線として回転する負圧吸着シールと、該装置本体、該物体表面及び該負圧吸着シールによって規定された減圧領域の内部の流体を外部に排出するための負圧生成手段と、該減圧領域の内部の負圧が任意の圧力以上の値に大きくなれば包囲流体を該減圧領域の内部に流入せしめて該負圧を該任意の値に維持するための真空破壊弁、すなわち一般的にはバキュームブレーカーと呼称されている真空圧力を一定に維持するためのリリーフ弁を備えている。
なお、該リリーフ弁は必ずしも該装置本体に直接に装着されなければならないものではなく、該装置本体と該負圧生成手段とを連結するサクションホースにおいて、該サクションホースの該装置本体に近接した部分に装着される場合もある。
かかる装置においては、負圧生成手段が付勢されると減圧領域の内部の流体が外部に排出され、減圧領域内外の流体圧力差に起因して装置本体に作用する流体圧力は車輪を介して物体表面に伝達され、かかる流体圧力によって装置が物体表面に吸着される。また、かかる吸着状態において電動モ−タの如き駆動手段によって車輪を回転駆動せしめると、上記車輪の作用によって装置は物体表面に沿って移動する。
また、例えば研磨布などの研磨部材が装着された負圧吸着シールを回転せしめると、物体表面を研磨清掃することができ、且つ、該研磨清掃作業の際に発生する粉塵は該負圧生成手段の作用により全て吸引回収される。
かかる装置においては、物体表面上における種々の清掃作業を、粉塵を発生させること無く、リモートコントロールにて安全にかつ効率的に行うことができる。
【特許文献１】日本特許第２６８９１２７号公報
【特許文献２】日本特許第２８０５６１４号公報
【発明の開示】
【発明が解決しようとする課題】
【０００３】
上述した日本特許第２６８９１２７号公報及び日本特許第２８０５６１４号公報に開示された「壁面に吸着し且つそれに沿って移動可能な装置」においては次の通りの解決すべき問題が存在する。
すなわち、かかる「壁面に吸着し且つそれに沿って移動可能な装置」においては、電動モ−タの如き回転式の駆動手段を備えているため連続走行は容易であるが、その一方で、規定された距離を走行した後に一旦停止し、規定された時間が経過した後に再び規定された距離を走行した後に一旦停止し、以下、同様の動作を繰り返す、といった間欠走行を実現するためには、サーボモータや、ロータリエンコーダなどの変位センサや電気制御システムを必要とするため高価な装置となる。
また、回転軸と軸受を備えた車輪や、減速機付きサーボモータや、該モータの回転駆動力を該車輪へ伝達する伝導機構の重量は相当な重さとなる。
なお、本発明の装置においては、表面処理材料の噴射など物体表面へ作用を施す作用装置、または物体表面の検査など物体表面から情報を得る検査装置を、本発明の装置の走行方向と交差する方向かつ物体表面に沿って往復動させて物体表面をスキャンさせる必要がある。
すなわち、本発明の装置に必要とされる走行態様とは、第１の手順として、作用装置または検査装置の往路のスキャンを行い、第２の手順として、規定された距離を走行した後に一旦停止し、第３の手順として、作用装置または検査装置の復路のスキャンを行い、第４の手順として、規定された距離を走行した後に一旦停止し、以下、該第１の手順から該第４の手順までの動作を繰り返す、といった間欠走行の走行態様が要求される。
従って、本発明が解決しようとする課題は、「物体表面に吸着し且つそれに沿って走行可能な装置」において、構造が簡略、軽量で製造コストが安く、且つ、精度の高い位置精度で間欠走行が可能な装置を提供することである。
【０００４】
「電磁石または永久磁石からなる吸着ユニットの磁力を用いて鋼板などの磁性体を素材とする物体表面へ吸着し且つそれに沿って走行可能な装置」においては、磁力の特性に起因する問題により該吸着ユニットと物体表面との間の空隙が大きくなると該吸着ユニットの物体表面への吸着力は極端に減少するものである。
従って、本発明が解決しようとする課題は、「電磁石または永久磁石からなる吸着ユニットの磁力を用いて鋼板などの磁性体を素材とする物体表面へ吸着し且つそれに沿って走行可能な装置」において、該吸着ユニットが物体表面に密着したままの状態で「物体表面へ吸着し且つそれに沿って走行可能な装置」を提供することである。
もちろん、「電磁石または永久磁石からなる吸着ユニットの磁力を用いて鋼板などの磁性体を素材とする物体表面へ吸着し且つそれに沿って走行可能な装置」においても、構造が簡略、軽量で製造コストが安く、且つ、精度の高い位置精度で間欠走行が可能な装置を提供することが必要である。
【課題を解決するための手段その１】
【０００５】
上記の課題を達成するために、本発明に係る第１の発明によれば、例えば請求項２に記載のように、
負圧の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンを行い、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する； ことを特徴とする「物体表面に吸着し且つそれに沿って走行可能な装置」が提供される。
【０００６】
上記の課題を達成するために、本発明に係る第１の発明によれば、例えば請求項５に記載のように、
磁力の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンを行い、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする「物体表面に吸着し且つそれに沿って走行可能な装置」が提供される。
【発明の効果その１】
【０００７】
本発明に係る第１の発明は、下記の効果をもたらすものである。
請求項１乃至請求項３に記載の、負圧を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって使い勝手が良くなるので利便性が向上する。
さらに、間欠走行時の位置精度が向上するので、表面処理材料の噴射などの作業の際や物体表面の検査などの作業の際に作業品質を向上させることができる。
【０００８】
請求項４乃至請求項７に記載の、磁力を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって装置の使い勝手が良くなるので利便性が向上する。
さらに、間欠走行時の位置精度が向上するので、表面処理材料の噴射などの作業の際や物体表面の検査などの作業の際に作業品質を向上させることができる。
【０００９】
請求項４乃至請求項７に記載の、磁力を利用して「物体表面に吸着し且つそれに沿って走行可能な装置」の更なる効果について、磁力を備える吸着ユニットが物体表面に密着したまま、すなわち吸着ユニットが大きな吸着力を保持したままの状態で物体表面に沿って移動可能であるため、吸着ユニットに必要とされる所定の吸着力を得るための便法として吸着ユニットを大型化する必要は無く、すなわち、本発明の装置においては吸着ユニットの小型化と軽量化が可能となるので、よって装置の使い勝手が良くなり利便性が向上する。
【発明を実施するための最良の形態その１】
【００１０】
以下、本発明に係る第１の発明に従って構成された装置の好適実施例について、添付図を参照して更に詳細に説明する。
【実施例その１】
【００１１】
図１は、好適実施例の装置が、壁面である物体表面１へ負圧を利用して吸着している状態を示し、物体表面１から離れた方向から好適実施例の装置と物体表面１を見た正面図である。
図１において、好適実施例の装置（以下、全体装置と呼称）は、物体表面１に沿って上昇走行、下降走行、時計方向へ旋回走行、あるいは反時計方向へ旋回走行するものであるが、全体装置を構成する部材の名称においては、左側の部分を左と呼称し、右側の部分を右と呼称する。
水平方向往復動ユニットおよび垂直方向往復動ユニットにおける「水平」と「垂直」の表現は、物体表面１に対して「水平」に運動するか、または「垂直」に運動するかを示している。
【００１２】
以下、全体装置を図１乃至図６を参照して説明する。
図示の装置は、メインフレーム４を具備しており、メインフレーム４は図１においてＨ形に形成されている。
メインフレーム４の左側面と右側面の各々には、ロッドレスシリンダから成る水平方向往復動ユニット５が装着されている。
水平方向往復動ユニット５の運動部材５０１には、垂直方向往復動ユニット用フレーム７が装着されている。
垂直方向往復動ユニット用フレーム７には、往復動シリンダから成る２式の垂直方向往復動ユニット６が装着されている。
垂直方向往復動ユニット６のピストンロッドの先端部には、ポリウレタンを主素材とする複動脚部材８が装着されている。
メインフレーム４の中央部分には、負圧吸着ユニット２が、中空の回転式連結手段９を介して、物体表面１に沿って回転自在に、装着されている。
負圧吸着ユニット２は、円筒状かつ物体表面１の方向が開口した負圧吸着ユニットケーシング２０１と、ポリウレタンを素材として環状に形成されており且つ物体表面１へ接近するにつれラッパ状に拡がった負圧吸着ユニットシール２０２と、ポリウレタンを主素材とする負圧吸着ユニット用固定脚部材２０３、により構成されている。
吸着体用固定脚部材２０３は、物体表面１と負圧吸着ユニットケーシング２０１の端部との間隙において、その最小時の間隙を一定の距離に維持するための部材である。
中空の回転式連結手段９には、サクションホース継手１０が装着されている。
サクションホース継手１０には、サクションホース（図示せず）を介して、真空ポンプなどの負圧生成手段（図示せず）が連結されている。
メインフレーム４の上端部には、ワークフレーム１５が溶着されている。
ワークフレーム１５には、ロッドレスシリンダから成る第２水平方向往復動ユニット１６が装着されている。
第２水平方向往復動ユニット１６の運動部材１６０１には、ノズル取付部材１６０２を介して、研掃材噴射用ブラストノズル１７が装着されている。
研掃材噴射用ブラストノズル１７には、研掃材圧送用ブラストホース１８を介して、研掃材圧送装置（図示せず）が連結されている。
なお、第２水平方向往復動ユニット１６の運動部材１６０１には、研掃材噴射用ブラストノズル１７の代わりに、塗装ガンや溶射ガンなど物体表面へ作用を施す作用装置、または超音波探傷子など物体表面から情報を得るセンサなどを装着することができる。
【００１３】
以下に、上述した装置の作用効果について説明する。
負圧生成手段（図示せず）を付勢すると、負圧吸着ユニット２の内部の大気の如き流体がサクションホース継手１０及びサクションホース（図示せず）を通って外部に排出され、負圧吸着ユニット２の内部が所要の通り減圧される。
かく負圧吸着ユニット２の内部が減圧されると、負圧吸着ユニット２の内外の流体圧力差に起因して負圧吸着ユニット２に作用する大気の如き包囲流体の圧力により、全体装置は物体表面１へ吸着する。
負圧吸着ユニット２の内部の圧力が所望の圧力に維持されている時、負圧吸着ユニットのシール２０２は、負圧吸着ユニット２の内外の圧力差に起因して物体表面１へ強く接触せしめられ、よって負圧吸着ユニット２の外部の流体がその内部へ流入するのを極力阻止する。
研掃材噴射用ブラストノズル１７からは、研掃材と圧縮空気の混合流体または研掃材と高圧水の混合流体が、物体表面１へ向け勢いよく噴射され、物体表面１に付着した錆や劣化した塗料などが除去される。
研掃材噴射用ブラストノズル１７は、第２水平方向往復動ユニット１６の作用により、全体装置の走行方向と交差する方向に往復運動を行う。
【００１４】
図７乃至図１１を参照して、研掃材噴射用ブラストノズル１７が物体表面１をスキャンし、且つ、全体装置が物体表面１に沿って走行する手順を説明する。
なお、図１１は第１の手順の直前における装置の状態を示す図である。
図７乃至図１１において、全体装置が走行する方向は上から下である。
大きい矢印は、当該手順における各部材の移動方向と移動距離を示している。
２重丸印は、物体表面１へ強く押し付けられている複動脚部材８または固定脚部材２０３を示している。
なお、図８と図９においては、複動脚部材８が物体表面１へ強く押し付けられていることに起因して、固定脚部材２０３が物体表面１から離反しているが、必ず離反しなければならないということではない。すなわち、複動脚部材８が物体表面１へ強く押し付けられていることに起因して、固定脚部材２０３と物体表面１との摩擦力が低減され、かくして、固定脚部材２０３を伴う負圧吸着ユニットが物体表面１へ吸着したままの状態で物体表面１に沿って移動することができれば、本発明の目的は達成される。
【００１５】
先ず、図７に示す第１の手順において、研掃材噴射用ブラストノズル１７が右から左へ移動する。
同時に、複動脚部材８が、物体表面１から離反したままの状態にて、水平方向往復動ユニット５が駆動されることにより、全体装置の走行方向へ移動する。
研掃材噴射用ブラストノズル１７を囲む２点鎖線の円は研掃材が物体表面１へ衝突する範囲を示している。
研掃材噴射用ブラストノズル１７が右から左へ移動することを研掃材噴射用ブラストノズル１７の往路移動と呼称する。
なお、図７に示す第１の手順において、負圧吸着ユニット用固定脚部材２０３は物体表面１へ強く押し付けられており、一方、複動脚部材８は物体表面１から離反している。
図８に示す第２の手順において、負圧吸着ユニット用固定脚部材２０３は物体表面１から離反し、一方、複動脚部材８は物体表面１へ強く押し付けられる。
図９に示す第３の手順において、固定脚部材２０３を伴う負圧吸着ユニットが物体表面１へ吸着したままの状態で物体表面１に沿って下方へ移動し、研掃材噴射用ブラストノズル１７も同時に下方へ移動する。
なお、図９に示す第３の手順において、負圧吸着ユニット用固定脚部材２０３は物体表面１から離反しており、一方、複動脚部材８は物体表面１へ強く押し付けられている。
図１０に示す第４の手順において、負圧吸着ユニット用固定脚部材２０３は物体表面１へ強く押し付けられ、一方、複動脚部材８は物体表面１から離反する。
第４の手順が終了すると、研掃材噴射用ブラストノズル１７の動作方向を除いて、上述した第１の手順から第４の手順までの手順を繰り返す。
なお、研掃材噴射用ブラストノズル１７の動作方向については、第１の手順において、研掃材噴射用ブラストノズル１７が右から左へ往路移動する第１の手順と、左から右へ複路移動する第１の手順を交互に繰り返す。
【００１６】
図１乃至図１１に示す装置において、例えば、左側の水平方向往復動ユニット５と垂直方向往復動ユニット６とを下方向へ走行移動させ、右側の水平方向往復動ユニット５と垂直方向往復動ユニット６とを上方向へ走行移動させると、全体装置は、回転式連結手段９を中心軸として物体表面１に沿って反時計方向へ旋回走行する。
この旋回走行の際、負圧吸着ユニット２は、回転式連結手段９の作用により、物体表面１に沿って旋回することは無い。
すなわち、負圧吸着ユニットシール２０２と物体表面１との間には摩擦力が発生しているが、上記の旋回走行の際には、負圧吸着ユニットシール２０２と物体表面１との間の摩擦力が全体装置の旋回走行を妨げることがないので、位置精度の高い旋回走行を実現するために、大変好都合である。
【００１７】
以下、本発明に係る第１の発明に従って構成された装置の第２の好適実施例について、図１２乃至図１３を参照して説明する。
図１２乃至図１３に示す装置は、図１乃至図１１に示す装置における負圧の作用による吸着ユニットを磁力の作用による吸着ユニットに置き換えた装置である。
図１２乃至図１３に示す装置における、研掃材噴射用ブラストノズル１７が物体表面１をスキャンし、且つ、全体装置が物体表面１に沿って走行する手順について、その手順は、図１乃至図１１に示す装置における手順と同様であるので説明を省略する。
ただし、図１２乃至図１３に示す装置においては、磁力吸着ユニット３は、複動脚部材８の態様の如何にかかわらず、常に物体表面１へ密着している。
すなわち、複動脚部材８が物体表面１へ強く押し付けられていることに起因して、磁力吸着ユニット３と物体表面１との摩擦力が低減され、かくして、磁力吸着ユニット３が物体表面１へ吸着したままの状態で物体表面１に沿って移動することができれば、本発明の目的は達成される。
なお、図１３に図示するように、磁力吸着ユニット３が、流体噴出ノズル３０１、流体噴出用管部材３０２、及び流体噴出用ホース３０３を具備していれば、磁力吸着ユニット３が物体表面１へ吸着した状態のまま物体表面１に沿って移動する時に、磁力吸着ユニット３と物体表面１との間の隙間に高い圧力の流体を流入させると、磁力吸着ユニット３と物体表面１との摩擦力をより効果的に低減させることができる。
【００１８】
以上に述べた、本発明に係る第１の発明の好適実施例の装置は、下記の効果をもたらすものである。
請求項１乃至請求項３に記載の、負圧を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって使い勝手が良くなるので利便性が向上する。
さらに、間欠走行時の位置精度が向上するので、表面処理材料の噴射などの作業の際や物体表面の検査などの作業の際に作業品質を向上させることができる。
【００１９】
請求項４乃至請求項７に記載の、磁力を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって装置の使い勝手が良くなるので利便性が向上する。
さらに、間欠走行時の位置精度が向上するので、表面処理材料の噴射などの作業の際や物体表面の検査などの作業の際に作業品質を向上させることができる。
【００２０】
請求項４乃至請求項７に記載の、磁力を利用して「物体表面に吸着し且つそれに沿って走行可能な装置」の更なる効果について、磁力を備える吸着ユニットが物体表面に密着したまま、すなわち吸着ユニットが大きな吸着力を保持したままの状態で物体表面に沿って移動可能であるため、吸着ユニットに必要とされる所定の吸着力を得るための便法として吸着ユニットを大型化する必要は無く、すなわち、本発明の装置においては吸着ユニットの小型化と軽量化が可能となるので、よって装置の使い勝手が良くなり利便性が向上する。
【００２１】
以上に本発明に係る第１の発明の装置の好適実施例について説明したが、本発明の装置は該好適実施例の他にも特許請求の範囲に従って種々実施例を考えることができる。
なお、以上の本発明の装置の好適実施例についての説明は、本発明の装置が大気中の物体表面上に在るものとして説明を行ったが、本発明の装置は水中においても適用されることができる。かかる場合の負圧生成手段については、真空ポンプに代えて水ポンプや水駆動エゼクタを用いることができる。
【課題を解決するための手段その２】
【００２２】
上記の課題を達成するために、本発明に係る第２の発明によれば、例えば請求項９に記載のように、
負圧の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンが開始または続行され、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ、同時に、作用装置または検査装置の往路または復路のスキャンが続行されて完了し；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反され、同時に、作用装置または検査装置の往路または復路のスキャンが開始されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する； ことを特徴とする「物体表面に吸着し且つそれに沿って走行可能な装置」が提供される。
【００２３】
上記の課題を達成するために、本発明に係る第２の発明によれば、例えば請求項１２に記載のように、
磁力の作用により物体表面へ吸着する吸着ユニットと；該吸着ユニットのその移動する方向に向かって左側と右側に各１式が配置された水平方向往復動ユニットであって、該移動する方向の前後方向に往復運動することが可能な水平方向往復動ユニットと；該水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿って、且つ、吸着ユニットの移動する方向と交差する方向に往復運動させる第２水平方向往復動ユニット；により少なくとも構成された物体表面に吸着し且つそれに沿って走行可能な装置において；作用装置または検査装置を物体表面に沿ってスキャンさせ、且つ、物体表面へ吸着した装置を物体表面に沿って走行させる手順において、第１の手順として、第２水平方向往復動ユニットの作用により作用装置または検査装置の往路または復路のスキャンを行い、同時に、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする「物体表面に吸着し且つそれに沿って走行可能な装置」が提供される。
【発明の効果その２】
【００２４】
本発明に係る第２の発明は、下記の効果をもたらすものである。
請求項８乃至請求項１０に記載の、負圧を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって使い勝手が良くなるので利便性が向上する。
さらに、間欠走行時の位置精度が向上するので、表面処理材料の噴射などの作業の際や物体表面の検査などの作業の際に作業品質を向上させることができる。
【００２５】
請求項１１乃至請求項１４に記載の、磁力を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって装置の使い勝手が良くなるので利便性が向上する。
さらに、間欠走行時の位置精度が向上するので、表面処理材料の噴射などの作業の際や物体表面の検査などの作業の際に作業品質を向上させることができる。
【００２６】
請求項１１乃至請求項１４に記載の、磁力を利用して「物体表面に吸着し且つそれに沿って走行可能な装置」の更なる効果について、磁力を備える吸着ユニットが物体表面に密着したまま、すなわち吸着ユニットが大きな吸着力を保持したままの状態で物体表面に沿って移動可能であるため、吸着ユニットに必要とされる所定の吸着力を得るための便法として吸着ユニットを大型化する必要は無く、すなわち、本発明の装置においては吸着ユニットの小型化と軽量化が可能となるので、よって装置の使い勝手が良くなり利便性が向上する。
【発明を実施するための最良の形態その２】
【００２７】
以下、本発明に係る第２の発明に従って構成された装置の好適実施例について、添付図を参照して更に詳細に説明する。
【実施例その２】
【００２８】
図１は、好適実施例の装置が、壁面である物体表面１へ負圧を利用して吸着している状態を示し、物体表面１から離れた方向から好適実施例の装置と物体表面１を見た正面図である。
図１において、好適実施例の装置（以下、全体装置と呼称）は、物体表面１に沿って上昇走行、下降走行、時計方向へ旋回走行、あるいは反時計方向へ旋回走行するものであるが、全体装置を構成する部材の名称においては、左側の部分を左と呼称し、右側の部分を右と呼称する。
水平方向往復動ユニットおよび垂直方向往復動ユニットにおける「水平」と「垂直」の表現は、物体表面１に対して「水平」に運動するか、または「垂直」に運動するかを示している。
【００２９】
以下、全体装置を図１乃至図６を参照して説明する。
図示の装置は、メインフレーム４を具備しており、メインフレーム４は図１においてＨ形に形成されている。
メインフレーム４の左側面と右側面の各々には、ロッドレスシリンダから成る水平方向往復動ユニット５が装着されている。
水平方向往復動ユニット５の運動部材５０１には、垂直方向往復動ユニット用フレーム７が装着されている。
垂直方向往復動ユニット用フレーム７には、往復動シリンダから成る２式の垂直方向往復動ユニット６が装着されている。
垂直方向往復動ユニット６のピストンロッドの先端部には、ポリウレタンを主素材とする複動脚部材８が装着されている。
メインフレーム４の中央部分には、負圧吸着ユニット２が、中空の回転式連結手段９を介して、物体表面１に沿って回転自在に、装着されている。
負圧吸着ユニット２は、円筒状かつ物体表面１の方向が開口した負圧吸着ユニットケーシング２０１と、ポリウレタンを素材として環状に形成されており且つ物体表面１へ接近するにつれラッパ状に拡がった負圧吸着ユニットシール２０２と、ポリウレタンを主素材とする負圧吸着ユニット用固定脚部材２０３、により構成されている。
吸着体用固定脚部材２０３は、物体表面１と負圧吸着ユニットケーシング２０１の端部との間隙において、その最小時の間隙を一定の距離に維持するための部材である。
中空の回転式連結手段９には、サクションホース継手１０が装着されている。
サクションホース継手１０には、サクションホース（図示せず）を介して、真空ポンプなどの負圧生成手段（図示せず）が連結されている。
メインフレーム４の上端部には、ワークフレーム１５が溶着されている。
ワークフレーム１５には、ロッドレスシリンダから成る第２水平方向往復動ユニット１６が装着されている。
第２水平方向往復動ユニット１６の運動部材１６０１には、ノズル取付部材１６０２を介して、研掃材噴射用ブラストノズル１７が装着されている。
研掃材噴射用ブラストノズル１７には、研掃材圧送用ブラストホース１８を介して、研掃材圧送装置（図示せず）が連結されている。
なお、第２水平方向往復動ユニット１６の運動部材１６０１には、研掃材噴射用ブラストノズル１７の代わりに、塗装ガンや溶射ガンなど物体表面へ作用を施す作用装置、または超音波探傷子など物体表面から情報を得るセンサなどを装着することができる。
【００３０】
以下に、上述した装置の作用効果について説明する。
負圧生成手段（図示せず）を付勢すると、負圧吸着ユニット２の内部の大気の如き流体がサクションホース継手１０及びサクションホース（図示せず）を通って外部に排出され、負圧吸着ユニット２の内部が所要の通り減圧される。
かく負圧吸着ユニット２の内部が減圧されると、負圧吸着ユニット２の内外の流体圧力差に起因して負圧吸着ユニット２に作用する大気の如き包囲流体の圧力により、全体装置は物体表面１へ吸着する。
負圧吸着ユニット２の内部の圧力が所望の圧力に維持されている時、負圧吸着ユニットのシール２０２は、負圧吸着ユニット２の内外の圧力差に起因して物体表面１へ強く接触せしめられ、よって負圧吸着ユニット２の外部の流体がその内部へ流入するのを極力阻止する。
研掃材噴射用ブラストノズル１７からは、研掃材と圧縮空気の混合流体または研掃材と高圧水の混合流体が、物体表面１へ向け勢いよく噴射され、物体表面１に付着した錆や劣化した塗料などが除去される。
研掃材噴射用ブラストノズル１７は、第２水平方向往復動ユニット１６の作用により、全体装置の走行方向と交差する方向に往復運動を行う。
【００３１】
図７乃至図１１を参照して、研掃材噴射用ブラストノズル１７が物体表面１をスキャンし、且つ、全体装置が物体表面１に沿って走行する手順を説明する。
なお、図１１は第１の手順の直前における装置の状態を示す図である。
図７乃至図１１において、全体装置が走行する方向は上から下である。
大きい矢印は、当該手順における各部材の移動方向と移動距離を示している。
図７乃至図１０において、各図面は各手順における各部材の最後の位置を示している。
２重丸印は、物体表面１へ強く押し付けられている複動脚部材８または固定脚部材２０３を示している。
なお、図８と図９においては、複動脚部材８が物体表面１へ強く押し付けられていることに起因して、固定脚部材２０３が物体表面１から離反しているが、必ず離反しなければならないということではない。すなわち、複動脚部材８が物体表面１へ強く押し付けられていることに起因して、固定脚部材２０３と物体表面１との摩擦力が低減され、かくして、固定脚部材２０３を伴う負圧吸着ユニットが物体表面１へ吸着したままの状態で物体表面１に沿って移動することができれば、本発明の目的は達成される。
【００３２】
以下に述べる、研掃材噴射用ブラストノズル１７が物体表面１をスキャンし、且つ、全体装置が物体表面１に沿って走行する手順は、往復運動を行う研掃材噴射用ブラストノズル１７の往路と復路の切り替えの際に、一旦停止する時間を極小にするための手順を説明するものである。
先ず、図７に示す第１の手順において、研掃材噴射用ブラストノズル１７が右から左へ移動する。
同時に、複動脚部材８が、物体表面１から離反したままの状態にて、水平方向往復動ユニット５が駆動されることにより、全体装置の走行方向へ移動する。
研掃材噴射用ブラストノズル１７を囲む２点鎖線の円は研掃材が物体表面１へ衝突する範囲を示している。
研掃材噴射用ブラストノズル１７が右から左へ移動することを研掃材噴射用ブラストノズル１７の往路移動と呼称する。
なお、図７に示す第１の手順において、負圧吸着ユニット用固定脚部材２０３は物体表面１へ強く押し付けられており、一方、複動脚部材８は物体表面１から離反している。
図８に示す第２の手順において、負圧吸着ユニット用固定脚部材２０３は物体表面１から離反し、一方、複動脚部材８は物体表面１へ強く押し付けられる。
同時に、作用装置または検査装置の往路または復路のスキャンが続行されて移動が完了する。
図９に示す第３の手順において、固定脚部材２０３を伴う負圧吸着ユニットが物体表面１へ吸着したままの状態で物体表面１に沿って下方へ移動し、研掃材噴射用ブラストノズル１７も同時に下方へ移動する。
なお、図９に示す第３の手順において、負圧吸着ユニット用固定脚部材２０３は物体表面１から離反しており、一方、複動脚部材８は物体表面１へ強く押し付けられている。
図１０に示す第４の手順において、負圧吸着ユニット用固定脚部材２０３は物体表面１へ強く押し付けられ、一方、複動脚部材８は物体表面１から離反する。
同時に、作用装置または検査装置の往路または復路のスキャンが開始される。
第４の手順が終了すると、研掃材噴射用ブラストノズル１７の動作方向を除いて、上述した第１の手順から第４の手順までの手順を繰り返す。
なお、研掃材噴射用ブラストノズル１７の動作方向については、第４および第１乃至第２の手順において、研掃材噴射用ブラストノズル１７が右から左へ往路移動する第４および第１乃至第２の手順と、左から右へ複路移動する第４および第１乃至第２の手順を交互に繰り返す。
【００３３】
図１乃至図１１に示す装置において、例えば、左側の水平方向往復動ユニット５と垂直方向往復動ユニット６とを下方向へ走行移動させ、右側の水平方向往復動ユニット５と垂直方向往復動ユニット６とを上方向へ走行移動させると、全体装置は、回転式連結手段９を中心軸として物体表面１に沿って反時計方向へ旋回走行する。
この旋回走行の際、負圧吸着ユニット２は、回転式連結手段９の作用により、物体表面１に沿って旋回することは無い。
すなわち、負圧吸着ユニットシール２０２と物体表面１との間には摩擦力が発生しているが、上記の旋回走行の際には、負圧吸着ユニットシール２０２と物体表面１との間の摩擦力が全体装置の旋回走行を妨げることがないので、位置精度の高い旋回走行を実現するために、大変好都合である。
【００３４】
以下、本発明に係る第２の発明に従って構成された装置の第２の好適実施例について、図１２乃至図１３を参照して説明する。
図１２乃至図１３に示す装置は、図１乃至図１１に示す装置における負圧の作用による吸着ユニットを磁力の作用による吸着ユニットに置き換えた装置である。
図１２乃至図１３に示す装置における、研掃材噴射用ブラストノズル１７が物体表面１をスキャンし、且つ、全体装置が物体表面１に沿って走行する手順について、その手順は、図１乃至図１１に示す装置における手順と同様であるので説明を省略する。
ただし、図１２乃至図１３に示す装置においては、磁力吸着ユニット３は、複動脚部材８の態様の如何にかかわらず、常に物体表面１へ密着している。
すなわち、複動脚部材８が物体表面１へ強く押し付けられていることに起因して、磁力吸着ユニット３と物体表面１との摩擦力が低減され、かくして、磁力吸着ユニット３が物体表面１へ吸着したままの状態で物体表面１に沿って移動することができれば、本発明の目的は達成される。
なお、図１３に図示するように、磁力吸着ユニット３が、流体噴出ノズル３０１、流体噴出用管部材３０２、及び流体噴出用ホース３０３を具備していれば、磁力吸着ユニット３が物体表面１へ吸着した状態のまま物体表面１に沿って移動する時に、磁力吸着ユニット３と物体表面１との間の隙間に高い圧力の流体を流入させると、磁力吸着ユニット３と物体表面１との摩擦力をより効果的に低減させることができる。
【００３５】
以上に述べた、本発明に係る第２の発明の好適実施例の装置は、下記の効果をもたらすものである。
請求項８乃至請求項１０に記載の、負圧を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって使い勝手が良くなるので利便性が向上する。
さらに、間欠走行時の位置精度が向上するので、表面処理材料の噴射などの作業の際や物体表面の検査などの作業の際に作業品質を向上させることができる。
【００３６】
請求項１１乃至請求項１４に記載の、磁力を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって装置の使い勝手が良くなるので利便性が向上する。
さらに、間欠走行時の位置精度が向上するので、表面処理材料の噴射などの作業の際や物体表面の検査などの作業の際に作業品質を向上させることができる。
【００３７】
請求項１１乃至請求項１４に記載の、磁力を利用して「物体表面に吸着し且つそれに沿って走行可能な装置」の更なる効果について、磁力を備える吸着ユニットが物体表面に密着したまま、すなわち吸着ユニットが大きな吸着力を保持したままの状態で物体表面に沿って移動可能であるため、吸着ユニットに必要とされる所定の吸着力を得るための便法として吸着ユニットを大型化する必要は無く、すなわち、本発明の装置においては吸着ユニットの小型化と軽量化が可能となるので、よって装置の使い勝手が良くなり利便性が向上する。
【００３８】
以上に本発明に係る第２の発明の装置の好適実施例について説明したが、本発明の装置は該好適実施例の他にも特許請求の範囲に従って種々実施例を考えることができる。
なお、以上の本発明の装置の好適実施例についての説明は、本発明の装置が大気中の物体表面上に在るものとして説明を行ったが、本発明の装置は水中においても適用されることができる。かかる場合の負圧生成手段については、真空ポンプに代えて水ポンプや水駆動エゼクタを用いることができる。
【課題を解決するための手段その３】
【００３９】
上記の課題を達成するために、本発明に係る第３の発明によれば、例えば請求項１６に記載のように、
負圧の作用により物体表面へ吸着する吸着ユニットと；該吸着ユニットが物体表面に沿って移動する２つの移動方向において、すなわち互いに直交する移動方向軸であるＸ軸とＹ軸において、該吸着ユニットに配置された、Ｘ軸の方向に往復運動することが可能な、Ｘ軸水平方向往復動ユニットと；該Ｘ軸水平方向往復動ユニットの２つの端部の各々に配置された、Ｙ軸の方向に往復運動することが可能な、Ｙ軸水平方向往復動ユニットと；該Ｙ軸水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿ってＸ軸方向に往復運動させる第２Ｘ軸水平方向往復動ユニット；により少なくとも構成された物体表面に吸着し且つそれに沿って走行可能な装置において；
作用装置または検査装置を物体表面に沿ってスキャンさせ、且つ、物体表面へ吸着した装置を物体表面に沿ってＹ軸方向へ走行させる手順において、第１の手順として、第２Ｘ軸水平方向往復動ユニットの作用により作用装置または検査装置の往路または復路のスキャンを行い、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする「物体表面に吸着し且つそれに沿って走行可能な装置」が提供される。
【００４０】
上記の課題を達成するために、本発明に係る第３の発明によれば、例えば請求項１９に記載のように、
磁力の作用により物体表面へ吸着する吸着ユニットと；該吸着ユニットが物体表面に沿って移動する２つの移動方向において、すなわち互いに直交する移動方向軸であるＸ軸とＹ軸において、該吸着ユニットに配置された、Ｘ軸の方向に往復運動することが可能な、Ｘ軸水平方向往復動ユニットと；該Ｘ軸水平方向往復動ユニットの２つの端部の各々に配置された、Ｙ軸の方向に往復運動することが可能な、Ｙ軸水平方向往復動ユニットと；該Ｙ軸水平方向往復動ユニットの各々に装着された垂直方向往復動ユニットであって、物体表面と交差する方向に往復運動することが可能な垂直方向往復動ユニットと；該垂直方向往復動ユニットの各々に装着された複動脚部材であって、物体表面と交差する方向に往復運動することが可能な、ポリウレタンなどの摩擦係数が大きい材料を素材とする複動脚部材と；表面処理材料の噴射など物体表面へ作用を施す作用装置、または物体表面の検査など物体表面から情報を得る検査装置と；作用装置または検査装置を、物体表面に沿ってＸ軸方向に往復運動させる第２Ｘ軸水平方向往復動ユニット；により少なくとも構成された物体表面に吸着し且つそれに沿って走行可能な装置において；
作用装置または検査装置を物体表面に沿ってスキャンさせ、且つ、物体表面へ吸着した装置を物体表面に沿ってＹ軸方向へ走行させる手順において、第１の手順として、第２Ｘ軸水平方向往復動ユニットの作用により作用装置または検査装置の往路または復路のスキャンを行い、複動脚部材は、物体表面から離反したままの状態にて、水平方向往復動ユニットが駆動されることにより装置の走行方向へ移動し；第２の手順として、複動脚部材が垂直方向往復動ユニットの作用により物体表面へ強く押し付けられ；第３の手順として、複動脚部材が物体表面へ強く押し付けられたままの状態にて水平方向往復動ユニットが駆動されることにより、吸着ユニット及び作用装置または検査装置が装置の走行方向へ移動し；第４の手順として、複動脚部材が垂直方向往復動ユニットの作用により物体表面から離反されて該第１の手順の直前の状態に戻り；以下、該第１の手順から該第４の手順までの動作を繰り返すことにより、物体表面へ吸着した装置が、物体表面へ作用を施しながら、あるいは、物体表面から情報を得ながら、物体表面に沿って間欠走行する；ことを特徴とする「物体表面に吸着し且つそれに沿って走行可能な装置」が提供される。
【発明の効果その３】
【００４１】
本発明に係る第３の発明は、下記の効果をもたらすものである。
請求項１５乃至請求項１７に記載の、負圧を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって使い勝手が良くなるので利便性が向上する。
さらに、間欠走行時の位置精度が向上するので、表面処理材料の噴射などの作業の際や物体表面の検査などの作業の際に作業品質を向上させることができる。
【００４２】
請求項１８乃至請求項２１に記載の、磁力を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって装置の使い勝手が良くなるので利便性が向上する。
さらに、間欠走行時の位置精度が向上するので、表面処理材料の噴射などの作業の際や物体表面の検査などの作業の際に作業品質を向上させることができる。
【００４３】
請求項１８乃至請求項２１に記載の、磁力を利用して「物体表面に吸着し且つそれに沿って走行可能な装置」の更なる効果について、磁力を備える吸着ユニットが物体表面に密着したまま、すなわち吸着ユニットが大きな吸着力を保持したままの状態で物体表面に沿って移動可能であるため、吸着ユニットに必要とされる所定の吸着力を得るための便法として吸着ユニットを大型化する必要は無く、すなわち、本発明の装置においては吸着ユニットの小型化と軽量化が可能となるので、よって装置の使い勝手が良くなり利便性が向上する。
【発明を実施するための最良の形態その３】
【００４４】
以下、本発明に係る第３の発明に従って構成された装置の好適実施例について、添付図を参照して更に詳細に説明する。
【実施例その３】
【００４５】
図１４は、好適実施例の装置が、壁面である物体表面１へ負圧を利用して吸着している状態を示し、物体表面１から離れた方向から好適実施例の装置と物体表面１を見た正面図である。
図１４において、好適実施例の装置（以下、全体装置と呼称）は、物体表面１に沿って上昇走行、下降走行、時計方向へ旋回走行、あるいは反時計方向へ旋回走行するものであるが、全体装置を構成する部材の名称においては、左側の部分を左と呼称し、右側の部分を右と呼称する。
図１４において、上下方向の軸をＹ軸と呼称し、左右方向の軸をＸ軸と呼称する。
水平方向往復動ユニットおよび垂直方向往復動ユニットにおける「水平」と「垂直」の表現は、物体表面１に対して「水平」に運動するか、または「垂直」に運動するかを示している。
【００４６】
以下、全体装置を図１４乃至図１９を参照して説明する。
図示の装置は、メインフレーム４を具備しており、メインフレーム４は図１４において板状に形成されている。
メインフレーム４の上部と下部の各々には、ロッドレスシリンダから成るＸ軸水平方向往復動ユニット１１の運動部材１１０１が装着されている。
上部のＸ軸水平方向往復動ユニット１１の左端部と、下部のＸ軸水平方向往復動ユニット１１の左端部には、ロッドレスシリンダから成るＹ軸水平方向往復動ユニット５が装着されており、上部のＸ軸水平方向往復動ユニット１１の右端部と、下部のＸ軸水平方向往復動ユニット１１の右端部には、もう１式のロッドレスシリンダから成るＹ軸水平方向往復動ユニット５が装着されている。
Ｙ軸水平方向往復動ユニット５の運動部材５０１には、垂直方向往復動ユニット用フレーム７が装着されている。
垂直方向往復動ユニット用フレーム７には、往復動シリンダから成る２式の垂直方向往復動ユニット６が装着されている。
垂直方向往復動ユニット６のピストンロッドの先端部には、ポリウレタンを主素材とする複動脚部材８が装着されている。
メインフレーム４の中央部分には、負圧吸着ユニット２が、中空の回転式連結手段９を介して、物体表面１に沿って回転自在に、装着されている。
負圧吸着ユニット２は、円筒状かつ物体表面１の方向が開口した負圧吸着ユニットケーシング２０１と、ポリウレタンを素材として環状に形成されており且つ物体表面１へ接近するにつれラッパ状に拡がった負圧吸着ユニットシール２０２と、ポリウレタンを主素材とする負圧吸着ユニット用固定脚部材２０３、により構成されている。
吸着体用固定脚部材２０３は、物体表面１と負圧吸着ユニットケーシング２０１の端部との間隙において、その最小時の間隙を一定の距離に維持するための部材である。
中空の回転式連結手段９には、サクションホース継手１０が装着されている。
サクションホース継手１０には、サクションホース（図示せず）を介して、真空ポンプなどの負圧生成手段（図示せず）が連結されている。
メインフレーム４の上端部には、ワークフレーム１５が溶着されている。
ワークフレーム１５には、ロッドレスシリンダから成る第２Ｘ軸水平方向往復動ユニット１６が装着されている。
第２Ｘ軸水平方向往復動ユニット１６の運動部材１６０１には、ノズル取付部材１６０２を介して、研掃材噴射用ブラストノズル１７が装着されている。
研掃材噴射用ブラストノズル１７には、研掃材圧送用ブラストホース１８を介して、研掃材圧送装置（図示せず）が連結されている。
なお、第２Ｘ軸水平方向往復動ユニット１６の運動部材１６０１には、研掃材噴射用ブラストノズル１７の代わりに、塗装ガンや溶射ガンなど物体表面へ作用を施す作用装置、または超音波探傷子など物体表面から情報を得るセンサなどを装着することができる。
【００４７】
以下に、上述した装置の作用効果について説明する。
負圧生成手段（図示せず）を付勢すると、負圧吸着ユニット２の内部の大気の如き流体がサクションホース継手１０及びサクションホース（図示せず）を通って外部に排出され、負圧吸着ユニット２の内部が所要の通り減圧される。
かく負圧吸着ユニット２の内部が減圧されると、負圧吸着ユニット２の内外の流体圧力差に起因して負圧吸着ユニット２に作用する大気の如き包囲流体の圧力により、全体装置は物体表面１へ吸着する。
負圧吸着ユニット２の内部の圧力が所望の圧力に維持されている時、負圧吸着ユニットのシール２０２は、負圧吸着ユニット２の内外の圧力差に起因して物体表面１へ強く接触せしめられ、よって負圧吸着ユニット２の外部の流体がその内部へ流入するのを極力阻止する。
研掃材噴射用ブラストノズル１７からは、研掃材と圧縮空気の混合流体または研掃材と高圧水の混合流体が、物体表面１へ向け勢いよく噴射され、物体表面１に付着した錆や劣化した塗料などが除去される。
研掃材噴射用ブラストノズル１７は、第２Ｘ軸水平方向往復動ユニット１６の作用により、全体装置の走行方向であるＹ軸と交差するＸ軸方向に往復運動を行う。
【００４８】
図２０乃至図２４を参照して、研掃材噴射用ブラストノズル１７が物体表面１をスキャンし、且つ、全体装置が物体表面１に沿って走行する手順を説明する。
なお、図２４は第１の手順の直前における装置の状態を示す図である。
図２０乃至図２４において、全体装置が走行する方向は上から下である。
大きい矢印は、当該手順における各部材の移動方向と移動距離を示している。
２重丸印は、物体表面１へ強く押し付けられている複動脚部材８または固定脚部材２０３を示している。
なお、図２１と図２２においては、複動脚部材８が物体表面１へ強く押し付けられていることに起因して、固定脚部材２０３が物体表面１から離反しているが、必ず離反しなければならないということではない。すなわち、複動脚部材８が物体表面１へ強く押し付けられていることに起因して、固定脚部材２０３と物体表面１との摩擦力が低減され、かくして、固定脚部材２０３を伴う負圧吸着ユニットが物体表面１へ吸着したままの状態で物体表面１に沿って移動することができれば、本発明の目的は達成される。
【００４９】
先ず、図２０に示す第１の手順において、研掃材噴射用ブラストノズル１７が右から左へ移動する。
また、複動脚部材８が、物体表面１から離反したままの状態にて、Ｙ軸水平方向往復動ユニット５が駆動されることにより、全体装置の走行方向へ移動する。
研掃材噴射用ブラストノズル１７を囲む２点鎖線の円は研掃材が物体表面１へ衝突する範囲を示している。
研掃材噴射用ブラストノズル１７が右から左へ移動することを研掃材噴射用ブラストノズル１７の往路移動と呼称する。
なお、図２０に示す第１の手順において、負圧吸着ユニット用固定脚部材２０３は物体表面１へ強く押し付けられており、一方、複動脚部材８は物体表面１から離反している。
図２１に示す第２の手順において、負圧吸着ユニット用固定脚部材２０３は物体表面１から離反し、一方、複動脚部材８は物体表面１へ強く押し付けられる。
図２２に示す第３の手順において、固定脚部材２０３を伴う負圧吸着ユニットが物体表面１へ吸着したままの状態で物体表面１に沿って下方へ移動し、研掃材噴射用ブラストノズル１７も同時に下方へ移動する。
なお、図２２に示す第３の手順において、負圧吸着ユニット用固定脚部材２０３は物体表面１から離反しており、一方、複動脚部材８は物体表面１へ強く押し付けられている。
図２３に示す第４の手順において、負圧吸着ユニット用固定脚部材２０３は物体表面１へ強く押し付けられ、一方、複動脚部材８は物体表面１から離反する。
第４の手順が終了すると、研掃材噴射用ブラストノズル１７の動作方向を除いて、上述した第１の手順から第４の手順までの手順を繰り返す。
なお、研掃材噴射用ブラストノズル１７の動作方向については、第１の手順において、研掃材噴射用ブラストノズル１７が右から左へ往路移動する第１の手順と、左から右へ複路移動する第１の手順を交互に繰り返す。
【００５０】
図２７乃至図３１を参照して、全体装置が、物体表面１に沿って、Ｘ軸方向に走行する手順を説明する。
図２７は第１の手順の直前における装置の状態を示す図である。
図２７乃至図３１において、全体装置が走行する方向は右から左である。
大きい矢印は、当該手順における各部材の移動方向と移動距離を示している。
２重丸印は、物体表面１へ強く押し付けられている複動脚部材８または固定脚部材２０３を示している。
なお、図２１と図２２においては、複動脚部材８が物体表面１へ強く押し付けられていることに起因して、固定脚部材２０３が物体表面１から離反しているが、必ず離反しなければならないということではない。すなわち、複動脚部材８が物体表面１へ強く押し付けられていることに起因して、固定脚部材２０３と物体表面１との摩擦力が低減され、かくして、固定脚部材２０３を伴う負圧吸着ユニットが物体表面１へ吸着したままの状態で物体表面１に沿って移動することができれば、本発明の目的は達成される。
【００５１】
先ず、図２８に示す第１の手順において、複動脚部材８が、物体表面１から離反したままの状態にて、Ｘ軸水平方向往復動ユニット１１が駆動されることにより、右から左へ移動する。
なお、図２８に示す第１の手順において、負圧吸着ユニット用固定脚部材２０３は物体表面１へ強く押し付けられており、一方、複動脚部材８は物体表面１から離反している。
図２９に示す第２の手順において、負圧吸着ユニット用固定脚部材２０３は物体表面１から離反し、一方、複動脚部材８は物体表面１へ強く押し付けられる。
図３０に示す第３の手順において、固定脚部材２０３を伴う負圧吸着ユニットが物体表面１へ吸着したままの状態で物体表面１に沿って左へ移動する。
なお、図３０に示す第３の手順において、負圧吸着ユニット用固定脚部材２０３は物体表面１から離反しており、一方、複動脚部材８は物体表面１へ強く押し付けられている。
図３１に示す第４の手順において、負圧吸着ユニット用固定脚部材２０３は物体表面１へ強く押し付けられ、一方、複動脚部材８は物体表面１から離反する。
第４の手順が終了すると、上述した第１の手順から第４の手順までの手順を繰り返す。
上述のように、本発明の装置は、物体表面に沿って作業を行いながらＹ軸の方向へ走行する機能に加えて、車線変更のためにＸ軸の方向へも走行することが可能であるので、効率的な作業を実現することができる。
【００５２】
図１４乃至図２４に示す装置において、例えば、左側のＹ軸水平方向往復動ユニット５と垂直方向往復動ユニット６とを下方向へ走行移動させ、右側のＹ軸水平方向往復動ユニット５と垂直方向往復動ユニット６とを上方向へ走行移動させると、全体装置は、回転式連結手段９を中心軸として物体表面１に沿って反時計方向へ旋回走行する。
この旋回走行の際、負圧吸着ユニット２は、回転式連結手段９の作用により、物体表面１に沿って旋回することは無い。
すなわち、負圧吸着ユニットシール２０２と物体表面１との間には摩擦力が発生しているが、上記の旋回走行の際には、負圧吸着ユニットシール２０２と物体表面１との間の摩擦力が全体装置の旋回走行を妨げることがないので、位置精度の高い旋回走行を実現するために、大変好都合である。
【００５３】
以下、本発明に係る第３の発明に従って構成された装置の第２の好適実施例について、図２５乃至図２６を参照して説明する。
図２５乃至図２６に示す装置は、図１４乃至図２４に示す装置における負圧の作用による吸着ユニットを磁力の作用による吸着ユニットに置き換えた装置である。
図２５乃至図２６に示す装置における、研掃材噴射用ブラストノズル１７が物体表面１をスキャンし、且つ、全体装置が物体表面１に沿って走行する手順について、その手順は、図１４乃至図２４に示す装置における手順と同様であるので説明を省略する。
ただし、図２５乃至図２６に示す装置においては、磁力吸着ユニット３は、複動脚部材８の態様の如何にかかわらず、常に物体表面１へ密着している。
すなわち、複動脚部材８が物体表面１へ強く押し付けられていることに起因して、磁力吸着ユニット３と物体表面１との摩擦力が低減され、かくして、磁力吸着ユニット３が物体表面１へ吸着したままの状態で物体表面１に沿って移動することができれば、本発明の目的は達成される。
なお、図２６に図示するように、磁力吸着ユニット３が、流体噴出ノズル３０１、流体噴出用管部材３０２、及び流体噴出用ホース３０３を具備していれば、磁力吸着ユニット３が物体表面１へ吸着した状態のまま物体表面１に沿って移動する時に、磁力吸着ユニット３と物体表面１との間の隙間に高い圧力の流体を流入させると、磁力吸着ユニット３と物体表面１との摩擦力をより効果的に低減させることができる。
【００５４】
以上に述べた、本発明に係る第３の発明の好適実施例の装置は、下記の効果をもたらすものである。
請求項１５乃至請求項１７に記載の、負圧を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって使い勝手が良くなるので利便性が向上する。
さらに、間欠走行時の位置精度が向上するので、表面処理材料の噴射などの作業の際や物体表面の検査などの作業の際に作業品質を向上させることができる。
【００５５】
請求項１８乃至請求項２１に記載の、磁力を利用して「物体表面に吸着し且つそれに沿って走行可能な装置」においては、高価な、サーボモータやロータリエンコーダなどの変位センサや電気制御システムを必要とせず、構造も制御もシンプルであるため製造コストを低減することができ、且つ、構造も制御もシンプルであるため故障も少なくメンテナンスも容易である。
また、回転軸と軸受を備えた車輪や、減速機付きサーボモータや、該モータの回転駆動力を該車輪へ伝達する伝導機構、などの重い部品を必要とせず、且つ、構造がシンプルであるため装置全体の重量が軽量となり、よって装置の使い勝手が良くなるので利便性が向上する。
さらに、間欠走行時の位置精度が向上するので、表面処理材料の噴射などの作業の際や物体表面の検査などの作業の際に作業品質を向上させることができる。
【００５６】
請求項１８乃至請求項２１に記載の、磁力を利用して「物体表面に吸着し且つそれに沿って走行可能な装置」の更なる効果について、磁力を備える吸着ユニットが物体表面に密着したまま、すなわち吸着ユニットが大きな吸着力を保持したままの状態で物体表面に沿って移動可能であるため、吸着ユニットに必要とされる所定の吸着力を得るための便法として吸着ユニットを大型化する必要は無く、すなわち、本発明の装置においては吸着ユニットの小型化と軽量化が可能となるので、よって装置の使い勝手が良くなり利便性が向上する。
【００５７】
以上に本発明に係る第３の発明の装置の好適実施例について説明したが、本発明の装置は該好適実施例の他にも特許請求の範囲に従って種々実施例を考えることができる。
なお、以上の本発明の装置の好適実施例についての説明は、本発明の装置が大気中の物体表面上に在るものとして説明を行ったが、本発明の装置は水中においても適用されることができる。かかる場合の負圧生成手段については、真空ポンプに代えて水ポンプや水駆動エゼクタを用いることができる。
【産業上の利用可能性】
【００５８】
かくの通りの「物体表面に吸着し且つそれに沿って走行可能な装置」は、物体表面に負圧または磁力を利用して吸着し且つ物体表面に沿って移動しながら、物体表面に付着した汚れ、錆、劣化したコーティングあるいは水棲生物などの異物を除去する清掃装置として、あるいは、物体表面に負圧または磁力を利用して吸着し且つ物体表面に沿って移動しながら、物体表面の超音波探傷などの検査を行う検査装置としてなど、広範囲な分野において好都合に用いることができる。
【図面の簡単な説明】
【００５９】
【図１】本発明に従って構成された装置の第一の好適実施例を示す正面図。
【図２】図１に示す装置における右側面図。
【図３】図１に示す装置を物体表面の方向から見た背面図。
【図４】図１に示す装置における底面図。
【図５】図１に示す装置におけるＡ−Ａの断面図。
【図６】図１に示す装置において、垂直方向往復動ユニットの複動脚部材が物体表面から離反している状態を示す底面図およびＡ−Ａの一部断面図。
【図７】図１に示す装置において、作用装置または検査装置が物体表面をスキャンし、且つ、全体の装置が物体表面に沿って走行する手順を示す図において、第１の手順における装置の動作を示す背面図と底面図と一部断面図。
【図８】第２の手順における装置の動作を示す背面図と底面図と一部断面図。
【図９】第３の手順における装置の動作を示す背面図と底面図と一部断面図。
【図１０】第４の手順における装置の動作を示す背面図と底面図と一部断面図。
【図１１】図１に示す装置において、作用装置または検査装置が物体表面をスキャンし、且つ、全体の装置が物体表面に沿って走行する手順を示す図において、第１の手順の直前における装置の状態を示す背面図と底面図と一部断面図。
【図１２】図１乃至図１１に示す装置において、負圧の作用による吸着ユニットを磁力の作用による吸着ユニットに置き換えた装置の底面図。
【図１３】図１に示す装置において、負圧の作用による吸着ユニットを磁力の作用による吸着ユニットに置き換えた装置のＡ−Ａの断面図。
【図１４】本発明に係る第３の発明に従って構成された装置の第一の好適実施例を示す正面図。
【図１５】図１４に示す装置における右側面図。
【図１６】図１４に示す装置を物体表面の方向から見た背面図。
【図１７】図１４に示す装置における底面図。
【図１８】図１４に示す装置におけるＡ−Ａの断面図。
【図１９】図１４に示す装置において、垂直方向往復動ユニットの複動脚部材が物体表面から離反している状態を示す底面図およびＡ−Ａの一部断面図。
【図２０】図１４に示す装置において、作用装置または検査装置が物体表面をスキャンし、且つ、全体の装置が物体表面に沿ってＹ軸方向に走行する手順を示す図において、第１の手順における装置の動作を示す背面図と底面図と一部断面図。
【図２１】第２の手順における装置の動作を示す背面図と底面図と一部断面図。
【図２２】第３の手順における装置の動作を示す背面図と底面図と一部断面図。
【図２３】第４の手順における装置の動作を示す背面図と底面図と一部断面図。
【図２４】図１４に示す装置において、作用装置または検査装置が物体表面をスキャンし、且つ、全体の装置が物体表面に沿ってＹ軸方向に走行する手順を示す図において、第１の手順の直前における装置の状態を示す背面図と底面図と一部断面図。
【図２５】図１４乃至図２４に示す装置において、負圧の作用による吸着ユニットを磁力の作用による吸着ユニットに置き換えた装置の底面図。
【図２６】図１４に示す装置において、負圧の作用による吸着ユニットを磁力の作用による吸着ユニットに置き換えた装置のＡ−Ａの断面図。
【図２７】図１４に示す装置において、全体の装置が物体表面に沿ってＸ軸方向に走行する手順を示す図において、第１の手順の直前における装置の状態を示す背面図と底面図と一部断面図。
【図２８】図１４に示す装置において、全体の装置が物体表面に沿ってＹ軸方向に走行する手順を示す図において、第１の手順における装置の動作を示す背面図と底面図と一部断面図。
【図２９】第２の手順における装置の動作を示す背面図と底面図と一部断面図。
【図３０】第３の手順における装置の動作を示す背面図と底面図と一部断面図。
【図３１】第４の手順における装置の動作を示す背面図と底面図と一部断面図。
【符号の説明】
【００６０】
物体表面１
負圧吸着ユニット２
負圧吸着ユニットケーシング２０１
負圧吸着ユニットシール２０２
負圧吸着ユニット用固定脚部材２０３
磁力吸着ユニット３
流体噴出ノズル３０１
流体噴出用管部材３０２
流体噴出用ホース３０３
メインフレーム４
水平方向往復動ユニット５
運動部材５０１
垂直方向往復動ユニット６
垂直方向往復動ユニット用フレーム７
複動脚部材８
回転式連結手段９
サクションホース継手１０
ワークフレーム１５
第２水平方向往復動ユニット１６
運動部材１６０１
ノズル取付部材１６０２
研掃材噴射用ブラストノズル１７
研掃材圧送用ブラストホース１８
Ｙ軸水平方向往復動ユニット５
Ｘ軸水平方向往復動ユニット１１
運動部材１１０１
第２Ｘ軸水平方向往復動ユニット１６
【図１】
2015145060.tif 000003
【図２】
2015145060.tif 000004
【図３】
2015145060.tif 000005
【図４】
2015145060.tif 000006
【図５】
2015145060.tif 000007
【図６】
2015145060.tif 000008
【図７】
2015145060.tif 000009
【図８】
2015145060.tif 000010
【図９】
2015145060.tif 000011
【図１０】
2015145060.tif 000012
【図１１】
2015145060.tif 000013
【図１２】
2015145060.tif 000014
【図１３】
2015145060.tif 000015
【図１４】
2015145060.tif 000016
【図１５】
2015145060.tif 000017
【図１６】
2015145060.tif 000018
【図１７】
2015145060.tif 000019
【図１８】
2015145060.tif 000020
【図１９】
2015145060.tif 000021
【図２０】
2015145060.tif 000022
【図２１】
2015145060.tif 000023
【図２２】
2015145060.tif 000024
【図２３】
2015145060.tif 000025
【図２４】
2015145060.tif 000026
【図２５】
2015145060.tif 000027
【図２６】
2015145060.tif 000028
【図２７】
2015145060.tif 000029
【図２８】
2015145060.tif 000030
【図２９】
2015145060.tif 000031
【図３０】
2015145060.tif 000032
【図３１】
2015145060.tif 000033